(57)【要約】      （修正有）【課題】ワイヤレスイヤホン機能を有するとともに、補聴機能をも有し、極めて使いやすい補聴器付きイヤホンを提供する。【解決手段】補聴器付きイヤホンは、ネックバンド１、左耳かけセット２００、及び右耳かけセット３００を備える。ネックバンドには、ワイヤレスモジュール、補聴モジュール、及びワイヤレスモジュールと補聴モジュールとをスイッチするスイッチボタン１１３を有するコントロール基盤が設置される。左耳かけセットは、第一導線２０１でネックバンドと接続される左耳かけ２と、左耳かけに設置される左イヤホン３と、外部音を収集する第一マイクとを有する。左イヤホンと第一マイクは第一導線でコントロール基板と電気伝導する。右耳かけセットは、第二導線３０１でネックバンドと接続され、左耳かけセットと同様の構成を有する。【選択図】図１
0003224623.tif 000002
【実用新案登録請求の範囲】
【請求項１】
スマート機能と、ワイヤレス機能と、ノイズキャンセリング機能とを有する補聴器付きイヤホンであって、
ワイヤレスモジュール、補聴モジュール、及び、前記ワイヤレスモジュールと前記補聴モジュールの動作を切り替えるスイッチボタン（１１３）を含むコントロール基板（１１）を有するネックバンド（１）と、
第一導線（２０１）で前記ネックバンド（１）に接続される左耳かけ（２）、前記左耳かけ（２）に設置される左イヤホン（３）、及び、外部音を収集する第一マイク（４）を有し、前記左イヤホン（３）と前記第一マイク（４）とは前記第一導線（２０１）で前記コントロール基板（１１）と電気伝導する左耳掛けセット（２００）と、
第二導線（３０１）で前記ネックバンド（１）に接続される右耳かけ（５）、前記右耳かけ（５）に設置される右イヤホン（６）、及び、外部音を収集する第二マイクとを有し、前記右イヤホン（６）と前記第二マイクとは前記第二導線（３０１）で前記コントロール基板（１１）と電気伝導する右耳かけセット（３００）とを備える補聴器付きイヤホン。
【請求項２】
前記左イヤホン（３）は、
後ケース（３１）、
前記後ケース（３１）に設置されるスピーカ（３２）、
前記スピーカ（３２）の上に設置される音口（３３）、
前記後ケース（３１）に嵌設されて、前記スピーカ（３２）と前記音口（３３）とを前記後ケース（３１）に封入する前ケース（３４）、
前記前ケース（３４）と一体成型される音管（３５）、及び、
前記音管（３５）に設置される耳栓（３６）を有し、
前記音口（３３）には、前記音口（３３）を上下に貫通し且つ互いに面積が異なる一つ以上の導音孔が設置される請求項１に記載の補聴器付きイヤホン。
【請求項３】
前記導音孔は、第一導音孔（３３１）、第二導音孔（３３２）、第三導音孔（３３３）、第四導音孔（３３４）、及び第五導音孔（３３５）を含み、前記第一導音孔（３３１）、前記第二導音孔（３３２）、前記第三導音孔（３３３）、前記第四導音孔（３３４）、及び前記第五導音孔（３３５）は全てらっぱ状であり、前記第一導音孔（３３１）、前記第二導音孔（３３２）、前記第三導音孔（３３３）、前記第四導音孔（３３４）、及び前記第五導音孔（３３５）の上の各開口の大きさはこの順に大きくなる請求項２に記載の補聴器付きイヤホン。
【請求項４】
前記音口（３３）の上の中央に第一段（３３６）があり、
前記第一段（３３６）の周りには、第二段（３３７）、第三段（３３８）、第四段（３３９）、第五段（３３０）があり、且つこの順に高さがどんどん低くなり、
前記第一導音孔（３３１）、前記第二導音孔（３３２）、前記第三導音孔（３３３）、前記第四導音孔（３３４）、及び前記第五導音孔（３３５）はそれぞれ、前記第一段（３３６）、前記第二段（３３７）、前記第三段（３３８）、前記第四段（３３９）、及び前記第五段（３３０）に設置される請求項３に記載の補聴器付きイヤホン。
【請求項５】
前記第一導音孔（３３１）、前記第二導音孔（３３２）、前記第三導音孔（３３３）、前記第四導音孔（３３４）、及び、前記第五導音孔（３３５）の上の各開口の大きさはこの順に大きくなる請求項３に記載の補聴器付きイヤホン。
【請求項６】
ソフトクッション（３７）は前記後ケース（３１）の内部に固設され、
前記スピーカ（３２）は前記ソフトクッション（３７）の中に設置される請求項２に記載の補聴器付きイヤホン。
【請求項７】
前記ソフトクッション（３７）の下と前記後ケース（３１）内の底との間にクッションゴムリング（３８）が設置される請求項６に記載の補聴器付きイヤホン。
【請求項８】
前記右イヤホン（６）の構造は前記左イヤホン（３）と同じである請求項１から７のいずれか１つに記載の補聴器付きイヤホン。
【請求項９】
前記左耳かけ（２）は、カーブ状の弾性線（２１）、前記弾性線（２１）の両端にそれぞれ固定される第一連接ピン（２２）、第二連接ピン（２３）、及び前記第一連接ピン（２２）の端部に固定されるケース（２４）を有し、
前記第一マイク（４）及びサウンドホール（２４１）が前記ケース（２４）の中に設置され、前記第一マイク（４）は前記サウンドホール（２４１）から外部音を収集し、
前記左イヤホン（３）は前記第二連接ピン（２３）の端部に設置され、
前記第一導線（２０１）は前記第一連接ピン（２２）に固定される請求項１から７のいずれか１つに記載の補聴器付きイヤホン。
【請求項１０】
前記ネックバンド（１）は、弾性ネックバンド（１２）、前記弾性ネックバンド（１２）の両端にそれぞれ固定される第一筐体（１３）、及び第二筐体（１４）を有し、
前記第一筐体（１３）にバッテリーが設置され、
前記第二筐体（１４）に前記コントロール基板（１１）と前記スイッチボタン（１１３）とが設置され、
前記弾性ネックバンド（１２）の両側には、それぞれ前記第一導線（２０１）及び前記第二導線（３０１）を収納し、且つ前記弾性ネックバンド（１２）の断面形状のうち前記第一導線（２０１）及び前記第二導線（３０１）の部分がＣ形状の空間である第一ケーブルトラフ（１２１）と第二ケーブルトラフとが設置され、
前記弾性ネックバンド（１２）の両側でスライドでき、前記弾性ネックバンド（１２）及び前記第一導線（２０１）、前記弾性ネックバンド（１２）及び前記第二導線（３０１）をそれぞれ結束するように、第一ファスナー（１２２）及び第二ファスナー（１２３）が設置される請求項９に記載の補聴器付きイヤホン。
【考案の詳細な説明】
【技術分野】
【０００１】
本考案はイヤホンに関し、特にスマート機能と、ワイヤレス機能と、ノイズキャンセリング機能とを有する補聴器付きイヤホンに関する。
【背景技術】
【０００２】
音は物体が振動することで生成される音波である。媒質（空気、固体或いは液体）を介して伝播し、人間や動物の耳に聞こえる波動現象である。音は波の形で伝播し（振動）、音は媒質を介して伝播し生成する音波の運動である。
物理学的には、音は物体を振動させることで発生し、音を発生している物体が音源である。物体が一秒間に振動する回数が周波数であり、周波数の単位はヘルツ（Hz）である。音は波の一種であり、周波数が20Hz〜20kHzの間の音が人間の耳に聞こえ、最もよく人間の耳に聞こえる音は周波数が1000Hz〜3000Hzの間の音である。
イヤホンは、メディアプレイヤ或いは受信機からの電波を受け入れ、その電波を耳に近い位置にあるスピーカが人の耳に聞こえる音波に転換する転換ユニットである。しかし、従来の技術では、イヤホンには補聴器の機能がないため、消費者の求めに応じることができない。
以上に鑑み、本考案の補聴器付きイヤホンが考案された。
【考案の概要】
【考案が解決しようとする課題】
【０００３】
本考案は、スマート機能とワイヤレス機能とノイズキャンセリング機能とを有する補聴器付きイヤホンを提供することを目的とする。
【課題を解決するための手段】
【０００４】
前記先行技術の課題を解決するため、本考案は下記の技術を採用する。
本考案の本考案の補聴器付きイヤホンは、ネックバンドと、左耳かけセットと、右耳かけセットとを備える。
該ネックバンドは、ワイヤレスモジュール、補聴モジュール、及び、該ワイヤレスモジュールと該補聴モジュールをスイッチするスイッチボタンを含むコントロール基板を有する。
該左耳かけセットは、第一導線でネックバンドに接続される左耳かけ、該左耳かけに設置される左イヤホン、及び、外部音を収集する第一マイクを有する。該左イヤホンと該第一マイクは該第一導線で該コントロール基板と電気伝導する。
該右耳かけセットは、第二導線でネックバンドに接続される右耳かけ、該右耳かけに設置される右イヤホン、及び外部音を収集する第二マイクを有する。該右イヤホンと該第二マイクは該第二導線で該コントロール基板と電気伝導する。
【０００５】
更に好ましくは、該左イヤホンは、後ケース、該後ケースに設置されるスピーカ、該スピーカの上に設置される音口、後ケースに嵌設されて、スピーカと音口を該後ケースに封入する前ケース、前ケースと一体成型される音管、及び、該音管に設置される耳栓を有し、該音口には、該音口を上下に貫通し且つ互いに面積が異なる一つ以上の導音孔が設置される。
【０００６】
更に好ましくは、該導音孔は、第一導音孔、第二導音孔、第三導音孔、第四導音孔、第五導音孔を含み、全てらっぱ状である。また、該第一導音孔、該第二導音孔、該第三導音孔、該第四導音孔、該第五導音孔の上の各開口の大きさはこの順に大きくなる。
【０００７】
更に好ましくは、該音口の上の中央に第一段がある。
該第一段の周りには、第二段、第三段、第四段、第五段があり、且つこの順に高さがどんどん低くなる。
該第一導音孔、第二導音孔、第三導音孔、第四導音孔、及び第五導音孔はそれぞれ、第一段第一段、第二段、第三段、第四段、第五段に設置される。
【０００８】
更に好ましくは、該第一導音孔、第二導音孔、第三導音孔、第四導音孔、第五導音孔の上の各開口の大きさはこの順に大きくなる。
【０００９】
更に好ましくは、該後ケースの中にソフトクッションが固設される。該スピーカは該ソフトクッションの中に設置される。
【００１０】
更に好ましくは、該ソフトクッションの下と後ケース内の底との間にクッションゴムリングが設置される。
【００１１】
更に好ましくは、該左イヤホンの構造は該右イヤホンの構造と同様である。
【００１２】
更に好ましくは、該左耳かけは、カーブ状の弾性線、該弾性線の両端にそれぞれ固定される第一連接ピン、第二連接ピン、及び該第一連接ピンの端部に固定されるケースを有する。
該第一マイク及びサウンドホールが該ケースの中に設置される。該
左イヤホンは第二連接ピンの端部に設置される。
該第一導線は該第一連接ピンに固定される。
【００１３】
更に好ましくは、該ネックバンドは、弾性ネックバンド、該弾性ネックバンドの両端にそれぞれ固定される第一筐体、及び第二筐体を有する。
該第一筐体にバッテリーが設置される。
該コントロール基板と該スイッチボタンとは第二筐体に設置される。
該弾性ネックバンド両側には、それぞれ該第一導線及び第二導線を収納し、且つ該弾性ネックバンドの断面形状のうち該第一導線及び該第二導線の部分がＣ形状の空間である第一ケーブルトラフと第二ケーブルトラフとが設置される。
該弾性ネックバンドの両側でスライドでき、該弾性ネックバンド及び該第一導線、該弾性ネックバンド及び該第二導線をそれぞれ結束するように、第一ファスナー及び第二ファスナーが設置される。
【００１４】
本考案の効果は以下のようである。
１．本考案は、コントロール基板に補聴モジュール及びワイヤレスモジュールと補聴モジュールとをスイッチするスイッチボタンを増設し、左耳かけセット及び右耳かけセットに外部音を収集する第一マイクと第二マイクとがそれぞれ増設されるため、スイッチボタンでワイヤレスモジュールに変換できる。このとき、普通のイヤホンとして使うことができ、該補聴モジュールは使われない。又は、スイッチボタンで補聴モジュールに変換できる。このとき、ワイヤレスモジュールは使われない。いずれの場合も、第一マイク及び第二マイクは同時に外部音を収集し、補聴モジュールが収集された外部音を難聴患者の耳に聴かせる音を左イヤホンと右イヤホンに伝送する。該左イヤホン及び右イヤホンは音を人間の耳に伝送するとともに、補聴器としての機能を達成し、本考案に強い競争力を与える。
２．従来のイヤホンと比べると、従来のイヤホンは物理構造により音の音質、音色を改善させることしかできず、エフェクトを改善させることができない。エフェクトを改善させたければ、電子回路やソフトウェアを増やさなければならない。本考案は、電子回路もソフトウェアも使わずに、音口の特別な物理構造により、消費者に最高な音質、音色、バーチャル三次元エフェクト及び５．１バイノーラルステレオエフェクトを聴かせる。従来のイヤホンは、この効果を達成できない。本考案のこの効果により、商品の制作コストを低減させることもできるため、競争力を改善できる。
３．本考案は、後ケースにソフトクッションが設置され、またソフトクッションの下と該後ケースの底との間にはクッションゴムリングが設置される。ソフトクッション及びクッションゴムリングは音波を吸収し、高周波の反射及び低周波の回折を減らし、雑音の生成を減少させる。後ケースの内部に、安定且つ調和のとれた音色をもたらすことができ、音色と音質を改善することができる。
【図面の簡単な説明】
【００１５】
【図１】本考案の斜視図
【図２】本考案の弾性ネックバンドの斜視図
【図３】本考案の左耳かけセットの斜視図
【図４】本考案の左耳かけセットの分解斜視図
【図５】本考案の左耳かけセットの断面図
【図６】本考案の音口の斜視図
【図７】本考案のコントロール基板の回路図
【考案を実施するための形態】
【００１６】
本考案の斜視図、弾性ネックバンドの斜視図、左耳かけセットの斜視図、左耳かけセットの分解斜視図、左耳かけセットの断面図、音口の斜視図及びコントロール基板の回路図である図１、図２、図３、図４、図５、図６及び図７に示す通り、本考案はスマート機能と、ワイヤレス機能と、ノイズキャンセリング機能とを有する補聴器付きイヤホンである。
該補聴器付きイヤホンは、ネックバンド１、左耳かけセット２００及び右耳かけセット３００を有する。該ネックバンド１にコントロール基板１１が設置され、該コントロール基板１１にワイヤレスモジュール、補聴モジュール及びワイヤレスモジュールと補聴モジュールとをスイッチするスイッチボタン１１３が設置される。該左耳かけセット２００は、第一導線２０１でネックバンド１に接続される左耳かけ２と該左耳かけ２に設置される左イヤホン３及び外部音を収集する第一マイク４を有する。該左イヤホン３と第一マイク４とは該第一導線２０１でコントロール基板１１と電気伝導する。右耳かけセット３００は、第二導線３０１でネックバンド１と接続される右耳かけ５と該右耳かけ５とに設置される右イヤホン６及び外部音を収集する第二マイクを有する。該右イヤホン６と第二マイクとは該第二導線３０１でコントロール基板１１と電気伝導する。
本考案はコントロール基板１１に補聴モジュール及びワイヤレスモジュールと補聴モジュールとをスイッチするスイッチボタン１１３を増設し、左耳かけセット２００及び右耳かけセット３００で外部音を収集する第一マイク４と第二マイクを増設するため、スイッチボタン１１３でワイヤレスモジュールに変換でき、普通のイヤホンとして使用でき、その時、該補聴モジュールは使われない。又、スイッチボタン１１３で補聴モジュールに変換でき、ワイヤレスが使われず、第一マイク４及び第二マイクで同時に外部音を収集し、難聴患者の耳に聴かせる音を左イヤホン３と右イヤホン６とに伝送する。該左イヤホン３及び右イヤホン６は音を人間の耳に伝送し、補聴器の機能を達成し、本考案に強い競争力を与える。
【００１７】
該左イヤホン３は後ケース３１、該後ケース３１に設置されるスピーカ３２、該スピーカ３２の上に設置される音口３３と後ケース３１に設置されスピーカ３２と音口３３を該後ケース３１に入れる前ケース３４、前ケース３４に一体成型する音管３５と該音管３５に設置される耳栓３６を有し、該音口３３を上下に貫通し互いに面積違う導音孔が設置される。該導音孔はスピーカ３２が生成する音を音管３５に集めて放出し、異なるクロスオーバーポイントを生成する。消費者により広く、多くの周波数バンドの音を聴かせることができ、バーチャルマルチチャンネルの特殊効果を達成し、３次元効果が極めて良い。
【００１８】
該導音孔は５本あり、それらは該第一導音孔３３１、第二導音孔３３２、第三導音孔３３３、第四導音孔３３４、第五導音孔３３５であって、全て下が大きく上が小さいらっぱ状である。該第一導音孔３３１、第二導音孔３３２、第三導音孔３３３、第四導音孔３３４、第五導音孔３３５の上の開口はこの順に大きさが大きくなる。該音口３３の上の中央に第一段があり、第一段３３６と該第一段３３６の周りにあって高さがどんどん低くなる第二段３３７、第三段３３８、第四段３３９、第五段３３０がある。該第一導音孔３３１、第二導音孔３３２、第三導音孔３３３、第四導音孔３３４、第五導音孔３３５はそれぞれ第一段第一段３３６、第二段３３７、第三段３３８、第四段３３９、第五段３３０に設置される。この構造の音口は、スピーカ３２が生成する音を、該音口を通らせて５チャネルに分け、次の１オクターブ５種類のヘイズチャネルに分ける。20Hz〜120Hz（低周波数）、120Hz〜391Hz（中低周波数）、440Hz〜1568Hz（中周波数）、1760Hz〜4186Hz（中高周波数）、4186Hz〜20kHz（高周波数）。音は別々に第一導音孔、第二導音孔、第三導音孔、第四導音孔、第五導音孔を通り、最後に音管３５に集まり、放出される。スピーカからの音は第一導音孔、第二導音孔、第三導音孔、第四導音孔、第五導音孔を通り、５つのクロスオーバーポイントに分かれる。消費者により広く、５つの周波数バンドからなる音を聴かせ、５つのチャンネルによる特殊効果を達成し、３次元効果が極めて良い。従来のイヤホンと比べれば、従来のイヤホンは物理構造で音の音質、音色しか改善できず、エフェクトを改善できない。エフェクトを改善したければ、電子回路やソフトウェアを増やさなければならない。本考案は電子回路もソフトウェアも使わず、音口の特別な物理構造で、消費者に最高の音質、音色、バーチャル三次元エフェクト及び５．１バイノーラルステレオエフェクトを聴かせる。従来のイヤホンはこの効果を達成できないため、商品の制作コストも減らせ、競争力を改善できる。
【００１９】
該後ケース３１の中にソフトクッション３７を設置される。該ソフトクッション３７は後ケース３１の内部としっかりくっつけられ、該スピーカ３２は該ソフトクッション３７の中に設置される。該ソフトクッション３７はスピーカの低周波を強化でき、雑音を消し、音質を強化できる。
【００２０】
該ソフトクッション３７の下と後ケース３１内の底との間にクッションゴムリング３８が設置される。該ソフトクッション３７及び該クッションゴムリング３８は音波を吸収し、高周波の反射及び低周波の回折を減らし、雑音の生成を減らす。後ケース３１内は安定で、調和のとれた音の効果を達成し、音色と音質を改善できる。
【００２１】
該左イヤホンは、右イヤホンの構造と同じなので、説明は省略する。
【００２２】
該補聴モジュールは通常の補聴器モジュールである。ワイヤレスモジュールは通常のワイヤレスモジュールである。コントロール基板１１にノイズキャンセリングモジュールが設置され、該ノイズキャンセリングモジュールは音をノイズキャンセリングでき、音質を保証できる。該ノイズキャンセリングモジュールも通常のノイズキャンセリングモジュールである。或いは、本考案は更にワイヤレスモジュール、補聴モジュール及びノイズキャンセリングモジュールを１つのワイヤレス補聴ノイズキャンセリングモジュール１１０にすることができる。
【００２３】
該左耳かけ２はカーブの弾性線２１及び該弾性線２１の両端に固定される第一連接ピン２２と第二連接ピン２３、該第一連接ピン２２端部に固定されるケース２４を有する。該第一マイク４は該ケース２４の中に設置され、該ケース２４にサウンドホール２４１が設置され、第一マイク４は該サウンドホール２４１で外部音を収集する。該左イヤホン３は第二連接ピン２３に設置され、該第一導線２０１は該第一連接ピン２２に固定される。
【００２４】
該ネックバンド１は弾性ネックバンド１２及び該弾性ネックバンド１２の両端に固定される第一筐体１３と第二筐体１４を有する。該第一筐体１３にバッテリーが設置される。該コントロール基板１１は第二筐体１４に設置される。該スイッチボタン１１３は第二筐体１４に設置される。該弾性ネックバンド１２の両側で別々に該第一導線２０１及び第二導線３０１を収納し、Ｃの形が現れる第一ケーブルトラフ１２１及び第二ケーブルトラフが設置され、該弾性ネックバンド１２の両側に、別々スライドでき、第一導線２０１及び第二導線３０１を固定する第一ファスナー１２２及び第二ファスナー１２３が設置される。第一導線２０１及び第二導線３０１の長さを調整する場合、直接第一ファスナー１２２及び第二ファスナー１２３で、第一導線２０１及び第二導線３０１が第一ケーブルトラフ１２１及び第二ケーブルトラフに入る長さを調整でき、第一導線２０１及び第二導線３０１が外に出ている部分の長さを調整できる。
【００２５】
前記により、本考案はコントロール基板１１に補聴モジュール及びワイヤレスモジュールと補聴モジュールをスイッチするスイッチボタン１１３が増設され、左耳かけセット２００及び右耳かけセット３００で別々外部音を収集する第一マイク４と第二マイクが増設されるため、スイッチボタン１１３でワイヤレスモジュールに変換でき、普通のイヤホンとして使用でき、その時、該補聴モジュールは使われない。又、スイッチボタン１１３で補聴モジュールに変換でき、ワイヤレスが使われず、第一マイク４及び第二マイクで同時に外部音を収集し、難聴患者の耳に聴かせる音を左イヤホン３と右イヤホン６に伝送する。該左イヤホン３及び右イヤホン６は音を人間の耳に伝送し、補聴器の機能を達成し、本考案に強い競争力を与える。
【００２６】
該左イヤホン３は後ケース３１、該後ケース３１に設置されるスピーカ３２、該スピーカ３２の上に設置される音口３３と後ケース３１に設置されスピーカ３２と音口３３を該後ケース３１に入れる前ケース３４、前ケース３４に一体成型する音管３５と該音管３５に設置される耳栓３６を有し、該音口３３を上下に貫通し面積違う導音孔が設置され、該導音孔はスピーカ３２が生成する音が音管３５に集まって放出され、異なるクロスオーバーポイントを生成する。消費者により広く、多くの周波数バンドの音を聴かせることができ、バーチャルマルチチャンネルの特殊効果を達成する。よって、３次元効果が極めて良い。
【００２７】
以上により、本考案が属する技術分野に関わる当業者は、上記の実施方法を適宜変更及び修正することができるので、前記した本考案の実施形態は本考案を限定するものではない。よって、本考案により保護される範囲は、実用新案登録請求の範囲を基準とする。
【符号の説明】
【００２８】
１  ・・・ネックバンド
１１  ・・・コントロール基板
１２  ・・・弾性ネックバンド
１３  ・・・第一筐体
１４  ・・・第二筐体
２  ・・・左耳かけ
２１  ・・・弾性線
２２  ・・・第一連接ピン
２３  ・・・第二連接ピン
２４  ・・・ケース
３  ・・・左イヤホン
３１  ・・・後ケース
３２  ・・・スピーカ
３３  ・・・音口
３４  ・・・前ケース
３５  ・・・音管
３６  ・・・耳栓
３７  ・・・ソフトクッション
３８  ・・・クッションゴムリング
４  ・・・第一マイク
５  ・・・右耳かけ
６  ・・・右イヤホン
【図１】
0003224623.tif 000003
【図２】
0003224623.tif 000004
【図３】
0003224623.tif 000005
【図４】
0003224623.tif 000006
【図５】
0003224623.tif 000007
【図６】
0003224623.tif 000008
【図７】
0003224623.tif 000009